(57)【要約】【課題】被収容物を収容し、脱気して密封するタイプの密封型収容袋において、スムーズに中身を取り出すことを可能にする。【解決手段】袋体１の端部に漬け物５を取り出す中身取出口７を形成するためのノッチ３を備え、さらに、ノッチ３を備えた端部と反対側の端部に、袋体１の内部に空気を取り入れる空気取入口６ａ，６ｂを形成するためのノッチ４ａ，４ｂを備える。まず、ノッチ４ａ，４ｂを手で切り裂き、次に、このノッチ４ａ，４ｂと反対側の端部のノッチ３を手で切り裂き、中身取出口７を下にして漬け物５を取り出す。このとき、空気取入口６ａ，６ｂから袋体１の内部に空気が取り入れられるので、袋体１と落下する漬け物５との間に負圧となる部分がなくなり、漬け物５は下の中身取出口７からスムーズに落下する。【選択図】  図２
2005041529.tif 000002
【特許請求の範囲】
【請求項１】
被収容物を収容し、脱気して密封した密封型収容袋であって、
袋体の端部に前記被収容物を取り出す取出口を形成するための第１の切り裂き部を備え、
さらに、前記第１の切り裂き部を備えた端部と反対側の端部に、前記袋体の内部に空気を取り入れる空気取入口を形成するための第２の切り裂き部を備えた密封型収容袋。
【請求項２】
前記第２の切り裂き部は、前記袋体のシール部の端に設けた切り込みである請求項１記載の密封型収容袋。
【請求項３】
前記第２の切り裂き部は、前記袋体のシール部のうち幅広のシール部の途中に前記袋体の内側に向けて引くように設けたリップ状の切り込みである請求項１記載の密封型収容袋。
【請求項４】
前記リップ状の切り込みは、前記シール部の表裏面を貫通して設けたものである請求項３記載の密封型収容袋。
【請求項５】
前記リップ状の切り込みは、前記シール部の一方の面に設けたものである請求項３記載の密封型収容袋。
【発明の詳細な説明】
【技術分野】
【０００１】
本発明は、被収容物を密封して収容する密封型収容袋に関する。
【背景技術】
【０００２】
図６に示すように、従来、食用品や詰替用の洗剤などの被収容物が密封される収容袋２１には、消費者が開封しやすいようにその端部にノッチ２２が形成されている。消費者は、このノッチ２２の部分から収容袋２１の端部を切り裂いて開封し、中の食用品２３などを取り出すことが可能である（例えば、特許文献１を参照。）。
【０００３】
【特許文献１】特開平７−６９３７０号公報（第２−３頁，図１−２）
【発明の開示】
【発明が解決しようとする課題】
【０００４】
ところで、これらの収容袋２１は、食用品２３の保存性確保のために脱気処理あるいは真空処理して密封されることが多い。そのため、図６の（ａ）〜（ｃ）に示すように、収容袋２１の一端を切り開いても中の食用品２３をスムーズに全部取り出せるわけではなく、一部の食用品２３が収容袋２１の角等に残ってしまうという問題がある。食用品２３が出てくるときに収容袋２１内に負圧の部分ができるからである。
【０００５】
したがって、消費者は、この収容袋２１の角等に残った食用品２３を箸やスプーン等で掻き出すことになる。この残りの食用品２３を掻き出す作業は、ノッチ２２によって切り開いた収容袋２１の口から行わなければならないため、何度も収容袋２１を上下逆に返す必要があり、かなり面倒なものである。
【０００６】
そこで、本発明は、被収容物を収容し、脱気して密封するタイプの密封型収容袋において、スムーズに中身を取り出すことが可能な密封型収容袋を提供することを目的とする。
【課題を解決するための手段】
【０００７】
本発明の密封型収容袋は、被収容物を収容し、脱気して密封した密封型収容袋であって、袋体の端部に被収容物を取り出す取出口を形成するための第１の切り裂き部を備え、さらに、第１の切り裂き部を備えた端部と反対側の端部に、袋体の内部に空気を取り入れる空気取入口を形成するための第２の切り裂き部を備えたものである。切り裂き部とは、袋体を手で簡単に切り裂けるように切り込みやミシン目等の特殊加工を施した部分をいう。切り込みとは、単なる切り込みの他、Ｖ字状やＵ字状に切り込んで切除した切り欠き等を含む。
【０００８】
本発明の密封型収容袋によれば、まず第２の切り裂き部を切り裂くことによって袋体の端部に空気取入口を形成した後、第１の切り裂き部を切り裂くことによって被収容物を取り出す取出口を空気取入口と反対側の端部に形成することで、取出口を下にして被収容物を取り出す際、この取出口を形成した端部と反対側の端部から袋体の内部に空気が取り入れられる。これにより、袋体の内部に負圧となる部分がなくなり、下の取出口から被収容物がスムーズに落下する。
【発明の効果】
【０００９】
袋体の端部に被収容物を取り出す取出口を形成するための第１の切り裂き部を備え、さらに、第１の切り裂き部を備えた端部と反対側の端部に、袋体の内部に空気を取り入れる空気取入口を形成するための第２の切り裂き部を備えたことによって、第１の切り裂き部により形成した取出口を下にして被収容物を落下させて取り出す際、第２の切り裂き部により形成した空気取入口から袋体内部に空気が取り入れられるようになるため、被収容物をスムーズに取り出すことが可能となる。これにより、従来袋体内部に残っていた被収容物を無駄なく取り出すことができるため、資源を節約することが可能となる。
【００１０】
また、被収容物が漬け物などの塩分を含む食用品などの場合には、袋体内部に被収容物が残ると焼却の際にダイオキシンが発生する要因となるが、被収容物がほとんど取り出せることによってこのダイオキシンの発生を抑制することができ、環境にも良い。
【００１１】
さらに、従来の密封型収容袋に備える第１の切り裂き部に加えて第２の切り裂き部を形成する工程を追加するに際して収容袋製造に設備的な追加はほとんどなく、収容袋製造コストもほとんど上昇しない。
【発明を実施するための最良の形態】
【００１２】
（実施の形態１）
図１は本発明の第１の実施の形態における密封型収容袋の概略平面図である。
【００１３】
図１において、本発明の第１の実施の形態における密封型収容袋は、長方形状の袋体１である。袋体１は、例えば、ナイロンやポリエチレンなどのフィルムを重ね、その周縁部に熱を加えてシールすることによって形成されたものである。また、このシールによって形成されたシール部２の長手方向の端部には、被収容物を取り出す取出口を形成するための第１の切り裂き部としてのＶ字状の切り欠き（以下、「ノッチ」と称す。）３が形成されている。
【００１４】
さらに、このノッチ３が形成されている辺と同じ辺であって、ノッチ３が形成されている端部と長手方向の反対側の端部には、袋体１の内部に空気を取り入れる空気取入口を形成するための第２の切り裂き部としてのノッチ４ａが形成されている。また、このノッチ４ａが形成されている辺と反対側の辺であって、ノッチ４ａが形成されている端部と同じ側の端部には、ノッチ４ａと同様、袋体１の内部に空気を取り入れる空気取入口を形成するための第２の切り裂き部としてのノッチ４ｂが形成されている。
【００１５】
図２の（ａ）〜（ｃ）は図１の密封型収容袋の中身を取り出す工程を示している。なお、この密封型収容袋には、被収容物として食用品である漬け物５が収容されているものとする。また、密封型収容袋は、漬け物５の収容後、脱気してシールすることにより密封されている。
【００１６】
消費者は、まず、密封型収容袋のノッチ４ａ，４ｂのいずれかまたは両方を手で切り裂くことによって、図２（ａ）に示す空気取入口６ａ，６ｂを形成する。次に、このノッチ４ａ，４ｂと反対側の端部のノッチ３を手で切り裂くことによって、図２（ｂ）に示す中身取出口７を空気取入口６ａ，６ｂと反対側の端部に形成する。
【００１７】
そして、図２（ｃ）に示すように、密封型収容袋の中身取出口７を下にして漬け物５を取り出す。このとき、中身取出口７と反対側の端部の空気取入口６ａ，６ｂから袋体１の内部に空気が取り入れられるので、袋体１と落下する漬け物５との間に負圧となる部分がなくなり、漬け物５は下の中身取出口７からスムーズに落下する。
【００１８】
これにより、漬け物５は袋体１の内部に残ることなくほとんど取り出すことができるため、無駄をなくすことができる。また、塩分を含む漬け物５がほとんど取り出せるため、袋体１内に残る塩分が少なく、中身を取り出したのち廃棄する袋体１を焼却した際に発生するダイオキシンを抑制できる。
【００１９】
また、空気取入口６ａ，６ｂ形成用のノッチ４ａ，４ｂは、ノッチ３と同様の設備、工程で形成することが可能であるため、このような密封型収容袋の製造に設備的な追加はほとんど不要であり、低コストで製造することができる。
【００２０】
なお、図１の例では、ノッチ４ａ，４ｂを袋体１の左右に一つずつ設けているが、いずれか一方のみとしてもよい。また、ノッチ４ａ，４ｂに代えて、図３に示すようにノッチ３が形成されている端部と長手方向の反対側の端部の短辺にノッチ８を形成してもよい。また、ノッチ４ａ，４ｂ，８は、シール部２の縁に対して直角に切り裂けるように形成するだけでなく、斜め方向に切り裂けるように形成してもよい。
【００２１】
（実施の形態２）
図４は本発明の第２の実施の形態における密封型収容袋の概略平面図である。
【００２２】
図４において、本発明の第２の実施の形態における密封型収容袋は、第１実施形態と同様の袋体１０のシール部１１の一部を幅広のシール部１２としたものである。この幅広のシール部１２は、主に販売の際に吊り下げて展示するための貫通孔１３を備える。シール部１１のシール部１２と反対側の端部には、第１実施形態と同様のノッチ３を備える。
【００２３】
また、この幅広のシール部１２の途中には、袋体１０の内側に向けて引くように設けたリップ状の切り込み１４が設けられている。なお、この切り込み１４は、シール部１２の一方の面（図４の表面）に設けられたものである。
【００２４】
このような密封型収容袋によれば、リップ状の切り込み１４を袋体１０の内側に向けて引くことによって袋体１０を切り裂き、第１実施形態におけるノッチ４ａ，４ｂ，８と同様、袋体１０の内部に空気を取り入れる空気取入口を形成することができる。そのため、この切り込み１４と反対側のノッチ３を切り裂けば、第１実施形態と同様にその内部の漬け物５をスムーズに落下させて取り出すことができる。
【００２５】
なお、貫通孔１３およびリップ状の切り込み１４に代えて、図５に示すようにリップ状の切り込み１５をシール部１２の表裏面に貫通させて設けることも可能である。このように貫通した切り込み１５とすることによって、貫通孔１３およびリップ状の切り込み１４の機能を兼ね備えたものとすることができる。これにより、貫通孔１３を形成する際に発生する貫通孔片（図示せず。）がなくなるため、この貫通孔片を処理する手間を省き、密封型収容袋の製造コストを下げることが可能となる。
【産業上の利用可能性】
【００２６】
本発明は、袋体内に脱気して密封される食用品などの被収容物を収容する袋として有用である。
【図面の簡単な説明】
【００２７】
【図１】本発明の第１の実施の形態における密封型収容袋の概略平面図である。
【図２】図１の密封型収容袋の中身を取り出す工程を示す図である。
【図３】図１の空気取入口形成用ノッチの別の例を示す概略平面図である。
【図４】本発明の第２の実施の形態における密封型収容袋の概略平面図である。
【図５】図４の空気取入口形成用ノッチの別の例を示す概略平面図である。
【図６】従来の密封型収容袋の中身を取り出す工程を示す図である。
【符号の説明】
【００２８】
１，１０  袋体
２，１１，１２  シール部
３  ノッチ（取出口形成用）
４ａ，４ｂ，８  ノッチ（空気取入口形成用）
５  漬け物
６ａ，６ｂ  空気取入口
７  中身取出口
１３  貫通孔
１４，１５  切り込み
【図１】
2005041529.tif 000003
【図２】
2005041529.tif 000004
【図３】
2005041529.tif 000005
【図４】
2005041529.tif 000006
【図５】
2005041529.tif 000007
【図６】
2005041529.tif 000008